(57)【要約】【課題】従来のエレベータの安全装置が故障または破壊され作動不能になるような非常時であっても、籠内に閉じ込められた乗客に、救助されるまでの数日あるいは数週間必要な救命補助装置を容易かつ確実に提供する。【解決手段】本発明の救命補助装置収納箱は、非常時に自動的に開錠し、かつ、平常時に開錠された場合、監視センタに通報される機構を備える。また、本発明の救命補助装置は、エレベータの操作盤下方の空間に収納される。【選択図】図４
2009012954.tif 000002
【特許請求の範囲】
【請求項１】
非常時に必要な救命補助装置を収納する救命補助装置収納箱であって、
前記救命補助装置収納箱の扉を施錠する施錠手段と、
非常な状態を検出して信号（非常状態検出信号）を出力する非常状態検出手段と、
前記非常状態検出信号を受信すると、前記施錠手段により施錠されている前記扉を開錠する開錠手段と、
前記開錠手段以外の手段により前記扉が開錠された場合、当該救命補助装置収納箱を管理するセンタに開錠されたことを示す信号（開錠信号）を送信する開錠報知手段と、を備えること
を特徴とする救命補助装置収納箱。
【請求項２】
請求項１記載の救命補助装置収納箱であって、
音声アナウンス再生出力手段をさらに備え、
前記音声アナウンス再生出力手段は、前記非常状態検出信号を受信すると、予め記憶されている音声アナウンスを再生出力すること
を特徴とする救命補助装置収納箱。
【請求項３】
請求項１または２記載の救命補助装置収納箱であって、
エレベータの昇降籠の出入り口面に平行な内壁の操作盤下方に収納されること
を特徴とする救命補助装置収納箱。
【請求項４】
請求項１から３いずれか１項記載の救命補助装置収納箱であって、
前記非常状態検出手段は、所定の震度以上の地震を検出する地震センサであること
を特徴とする救命補助装置収納箱。
【請求項５】
請求項１から４いずれか１項記載の救命補助装置収納箱を備える救命補助装置収納箱付エレベータ。
【発明の詳細な説明】
【技術分野】
【０００１】
本発明は、救命具等を格納する救命補助装置と、救命補助装置を装備したエレベータに関する。
【背景技術】
【０００２】
エレベータには、地震の発生などの非常時に最寄階に移動して停止させ、扉を開放する等の安全システムが設けられている。しかし、大規模な地震では、システムそのものが故障あるいは破壊されて作動しない、籠が変形して扉が開かない等の事態が発生し、乗客が籠内に閉じ込められることがあり得る。災害が広域に渡る場合、乗客は、救出されるまで数日、場合によっては数週間も、孤立したエレベータの籠内で待たねばならないこともあり得る。
【０００３】
そのような場合を想定し、籠内の乗客がパニックとならず、救出まで持ちこたえ、その生命と健康とを維持するために必要な、照明、外部との通信手段、飲料水、食料、排泄物処理手段、応急医薬品、電源等（以下救命補助装置と言う）を、エレベータ内に装備する発明がある（例えば、特許文献１、特許文献２参照。）。
【０００４】
不特定多数の乗客が乗り合わせるエレベータにこのような救命補助装置を装備する場合、非常時に必要なものが完全な状態で揃い、確実に使用できて始めて役に立つ。
【０００５】
特許文献１に記載されている収納箱は、平常時の盗難や悪戯を防ぐため、その扉をボルトで止め、容易には開かないようにしている。また、特許文献２に記載されている収納箱は、通常はその扉を施錠し、非常時は非常時のみ乗客が知ることができる暗証番号により開錠可能な構成を有する。
【０００６】
【特許文献１】実用新案登録第３１２７１７５号公報
【特許文献２】実用新案登録第３１２２６７９号公報
【発明の開示】
【発明が解決しようとする課題】
【０００７】
上記２文献に記載の収納箱の開錠方法は、非常時に気が動転している乗客に大きな負担を課すものである。また、平常時の盗難や悪戯も完全には防ぐことはできず、非常時に必ずしも必要な救命補助装置が装備されているとは限らない。従って、乗客は閉じ込められた場合、必ずしも必要な救命補助装置を使用できるとは限らない。
【０００８】
本発明は、上記事情に鑑みてなされたもので、従来のエレベータの安全装置が故障または破壊され作動不能になるような非常時であっても、籠内に閉じ込められた乗客に、救助されるまでの数日あるいは数週間必要な救命補助装置を容易かつ確実に提供することを目的とする。
【課題を解決するための手段】
【０００９】
本発明は、非常時に自動的に開錠し、かつ、平常時に開錠された場合、監視センタに通報される機構を備えるエレベータの救命補助装置を提供する。
【００１０】
具体的には、非常時に必要な救命補助装置を収納する救命補助装置収納箱であって、前記救命補助装置収納箱の扉を施錠する施錠手段と、非常な状態を検出して信号（非常状態検出信号）を出力する非常状態検出手段と、前記非常状態検出信号を受信すると、前記施錠手段により施錠されている前記扉を開錠する開錠手段と、前記開錠手段以外の手段により前記扉が開錠された場合、当該救命補助装置収納箱を管理するセンタに開錠されたことを示す信号（開錠信号）を送信する開錠報知手段と、を備えることを特徴とする救命補助装置収納箱を提供する。
【発明の効果】
【００１１】
本発明によれば、従来のエレベータの安全装置が故障または破壊され作動不能になるような非常時であっても、籠内に閉じ込められた乗客に、救助されるまでの数日あるいは数週間必要な救命補助装置を容易かつ確実に提供できる。
【発明を実施するための最良の形態】
【００１２】
以下、本発明の実施の形態を図面を用いて説明する。
【００１３】
図１は、本実施形態のエレベータの平面図である。また、図２は、エレベータの建物側から見た出入り口部正面図であり、図１のＡ−Ａ矢視図である。図３は、エレベータ内部から見た出入り口部正面図であり、図１のＢ−Ｂ矢視図である。本実施形態のエレベータは、建物に設けられた昇降路２内を昇降する昇降籠１、昇降籠内操作盤３、救命補助装置収納庫４、救命補助装置収納庫４の扉５、出入り口の昇降籠側戸１１、出入り口の建物側戸２１、昇降籠側戸袋１２、建物側戸袋２２、建物側操作盤２３を備える。
【００１４】
昇降籠１は、建物に設けられた昇降路２内にあって、昇降案内レールを含む昇降駆動装置（不図示）によって吊り下げられている。出入り口の昇降籠側戸１１および昇降籠側戸袋１２は、昇降籠１に、出入り口の建物側戸２１、建物側戸袋２２は、建物の各停止階に設けられる。昇降籠内操作盤３、建物側操作盤２３は、出入り口近くの操作し易い位置に設けられる。
【００１５】
昇降籠内操作盤３は、昇降籠側戸袋１２の籠内側壁面の、概ね乗客の顔の高さに設けられる。昇降籠側戸袋１２の昇降籠内操作盤３より下方には利用可能なスペース４０がある。本実施形態のエレベータは、このスペース４０内に、救命補助装置収納庫４を配設する。救命補助装置収納庫４内には、地震等の災害時に救命及び延命のために必要となる各種の装置および用品が格納される。
【００１６】
なお、昇降籠１には、その他、照明、換気装置、各種センサ、ＴＶカメラ、マイクロホン、スピーカ、インターホン、現在位置階表示器等が設けられる（図示省略）。
【００１７】
次に、上記救命補助装置収納庫４の詳細について説明する。図４は、本実施形態の救命補助装置収納庫４の詳細を説明するための図である。なお、本実施形態の救命補助装置収納庫４は、上述のように昇降籠内操作盤３の下方のスペース４０内に設けられる。
【００１８】
本図に示すように、本実施形態の救命補助装置収納庫４は、救命補助装置収納部４Ａと、救命補助装置収納庫扉５（以後、扉５と呼ぶ。）と、扉開放釦６と、扉開放検出センサ１０３と、ロック１０７と、コントローラ１００とを備える。また、本図には示されていないが、さらに、非常状態検出センサと、電源と、スピーカと、照明と、携帯電話充電用プラグと、操作釦と、アンテナと、充電器と、外部電源入力用プラグと、ＡＣコンセントと、を備える。なお、スピーカと照明とは、昇降籠１に備えられているものが兼ねてもよい。
【００１９】
救命補助装置収納部４Ａには、救命補助装置、具体的には、ラジオ、懐炉、毛布等の寝具、飲料水、食料、密閉可能な排泄物収容袋、応急処置可能な医療用品、薬品、非常用電源である電池、充電器等が保管される。これ等の救命補助装置は定期的に点検される。そして、日時の経過とともに劣化する電池や、食料などは適宜交換され、常に使用可能な状態に保守される。
【００２０】
扉５は、本実施形態のエレベータの昇降籠内操作盤３が設けられる壁面の、昇降籠内操作盤３の下方に設けられる。通常は、ロック１０７により施錠され、閉じられている。
【００２１】
扉開放釦６は、扉５のロックを開錠するための釦である。
【００２２】
扉開放検出センサ１０３は、救命補助装置収納庫扉５が開放されたことを検出すると、平常時に用いるエレベータ監視システムを介して、扉５が開放されたことを監視センタに通報する。これにより、監視センタは、救命補助装置収納庫４が開けられたことを知ることができる。そして、保守作業員を派遣し、救命補助装置収納庫４内の救命補助装置を確認することができるとともに必要に応じて補充することができる。上記の定期点検とともに本構成により、本実施形態の救命補助装置は、盗難、いたずら、平常時の特別な使用があった場合も、常に使用可能な状態に維持される。なお、保守管理要員が開錠した場合は、通報しないよう構成してもよい。
【００２３】
コントローラ１００は、救命補助装置収納庫４内の各部の動作を制御する。図５は、本実施形態の救命補助装置収納庫４内のコントローラ１００を中心とした電気機器のブロック図である。本図を用いて、コントローラ１００による制御を説明する。
【００２４】
本図に示すように、本実施形態のコントローラ１００は、非常状態検出センサ１０１と、電源１０２と、スピーカ１０４と、照明１０５と、携帯電話充電用プラグ１０６と、ロック１０７と、操作釦１０８と、アンテナ１０９と、充電器１１０と、外部電源入力用プラグ１１１と、ＡＣコンセント１１２と、に接続される。
【００２５】
非常状態検出センサ１０１は、非常状態を検出すると、コントローラ１００に信号（非常状態検出信号）を出力する。本実施形態の非常状態検出センサ１０１は、例えば、所定の震度以上の地震の発生を検出するよう構成されている。なお、非常状態検出センサ１０１は、救命補助装置収納庫４が備えなくてもよい。例えば、エレベータに備えられている特殊な状態を検出する所定のセンサからの信号がコントローラ１００に入力されるよう構成してもよい。ただし、本実施形態は、エレベータが通常備える安全装置が作動不能になり、乗客が昇降籠１内に閉じ込められる場合を想定したものであるため、通常エレベータが備えるセンサからの信号を用いる場合、例えば地震の場合、所定の震度以上、所定時間以上揺れが続いた場合など、コントローラ１００への非常状態検出信号送信になんらかの制約を設けることが望ましい。
【００２６】
コントローラ１００は、音声記録再生部と、信号生成部と、インバータとを備え、電源１０２から電気を得る。電源１０２は、平常時に外部電源入力用プラグ１１１を介して充電器１１０によりエレベータが備える外部電源により充電される。なお、コントローラ１００は、さらに電源切替部を備え、通常は、外部電源入力用プラグ１１１を介して外部電源を用い、非常状態検出信号を受信すると、電源１０２を用いるよう切り替える構成としてもよい。
【００２７】
音声記録再生部は、非常状態検出信号を受信すると、予め記憶されている音声アナウンスを一定時間再生し、スピーカ１０４から出力する。音声アナウンスには、救命補助装置収納庫４が備える救命補助装置の紹介、使い方、一般的な注意事項等が含まれる。また、音声記録再生部は、操作釦１０８の押下による指示によっても音声アナウンスを再生する。これにより、乗客は、音声アナウンスを所望の時に繰り返し聞くことができる。なお、音声アナウンス内容に、操作釦１０８の押下により音声アナウンスを聞くことができる旨を含めてもよい。
【００２８】
信号生成部は、非常状態検出信号を受信すると、予め定められた信号を生成し、各部に送信する。
【００２９】
具体的には、信号生成部は、点灯を指示する信号を生成し、照明１０５に送信する。非常用照明１０５は、信号を受け、点灯する。なお、照明１０５の電源は電池１０２である。
【００３０】
また、信号生成部は、開錠および扉５の開放を指示する信号を生成し、ロック１０７に送信する。ロック１０７は信号を受け、開錠するとともに、扉５を開放する。これにより、乗客は、救命補助装置を使用することができる。なお、開錠を指示する信号のみ送信するよう構成してもよい。この場合は、扉５が開錠されたことを音声アナウンスにて乗客に通知する。乗客は、音声アナウンスに従って、扉５を開け、救命補助装置を使用することができる。
【００３１】
また、信号生成部は、救助信号を生成し、アンテナ１０９から外部に発信する。なお、救助信号の生成および発信は、乗客の操作釦１０８を介しての指示を受け、行うよう構成してもよい。これは、誰も乗客がいない場合に救助信号を発信することを避けるためである。なお、この場合も音声アナウンスで、所定の操作釦１０８を押下することにより救助信号を外部に送信可能であることを乗客に通知する。
【００３２】
インバータは、電源１０２のＤＣ電源からＡＣ電源を発生させ、ＡＣ出力コンセント１１２を介して出力する。これにより、乗客は、ＡＣ電気機器も使用できる。なお、電源１０２の消耗を防ぐため、操作釦１０８によりインバータのＯＮ、ＯＦＦが可能なよう構成してもよい。
【００３３】
プラグ１０６は、携帯電話の充電用に設けられているプラグである。コントローラ１００を介して電源１０２から電気を得る。乗客は、所持している携帯電話の電池残量が少なくなった場合、プラグ１０６を介して充電することができる。なお、一般に昇降籠１内は携帯電話等の移動体端末の電波が届きにくく、移動体端末での外部との交信は難しい。このため、コントローラ１００は、エレベータ用基地局の機能をさらに備え、非常状態検出センサ１０１からの信号を受信すると、稼動するとともに、稼動したことを乗客に音声アナウンスで通知するよう構成してもよい。これにより、乗客は昇降籠１内から外部との交信がしやすくなる。
【００３４】
なお、コントローラ１００の音声記録再生部および信号生成部は、コントローラ１００内のメモリに格納されたプログラムをコントローラ１００が備える演算装置が実行することにより実現される。
【００３５】
以上説明したように、本実施形態によれば、救命補助装置収納庫４は、非常時には、非常状態検出信号により自動的にその扉５が開く。一方、開錠釦６を有するため、非常状態検出信号が出力される非常状態以外であっても、保守管理者は必要に応じて扉５のロック１０７を開錠し、保守管理を行なうことができる。また、乗客も非常状態以外でも必要に応じて開錠し、救命補助装置を使用することができる。ただし、本実施形態によれば、非常状態以外に扉５が開けられた場合は、監視センタに通報がいく。保守管理者は、この通報を受け、中身の確認、補充などの適切な対応をとることができ、救命補助収納庫には必要な救命補助装置が常時、確実に収納される。従って、本実施形態によれば、非常時に容易かつ確実に必要な救命補助装置を乗客に提供することができる。
【００３６】
また、本実施形態によれば、乗客は音声アナウンスにより、救命補助装置収納庫４内に備えられている救命補助装置の内容、使用方法を知ることができる。
【００３７】
さらに、本実施形態によれば、確実に必要な救命補助装置を非常時に乗客に提供できるため、乗客は、毛布、寝具などを用い、睡眠をとることができ、寒冷地であれば、暖を取ることもできる。飲料水と食料で時間の経過に伴う空腹と疲労による体力の消耗とを軽減することができる。排泄物を密閉可能な容器に収容できるため、衛生を保つことができる。医薬品で応急手当も可能である。
【００３８】
また、本実施形態によれば、乗客は、ラジオにより、外部の状況、必要な情報を取得することができる。また、音声アナウンスに従って、外部に救援信号を発信する操作を行うことができる。さらに、乗客は音声アナウンスにより携帯電話の使用が可能になったことを知り、外部と交信を試みることができる。さらに、常に充電されている電源を有するため、外部電源が使用不能の場合であっても、照明を点灯させることができる。これらにより、不安を軽減するとともに、適切な対応をとることができる。
【００３９】
特に、震源地の近い直下型の大地震では、建物等も瞬時に破壊され、乗客は、エレベータの昇降籠内に閉じ込められる危険性が高い。この様な場合に、本実施形態の救命補助装置収納庫は有効である。
【００４０】
また、本実施形態によれば、救命補助装置収納庫４は、エレベータの昇降籠内操作盤３下のスペース４０に配置される。従って、居住性、収容スペース（特に乗客の上半身が占めるスペース）を損なうことなく、昇降籠１内の出入り口のある内壁の僅かな構造変更だけで実現可能である。このため、救命補助装置収納庫４の取り付け費用を抑えることができ、同じ予算で多くのエレベータにを配備できる。また、エレベータの収容スペースを損なうことがないため、救命補助装置収納庫４を装備することによるデメリット（例えば、昇降籠１内に凹凸ができ平常時にエレベータの使い勝手が悪くなるなど）も少ない。さらに、下方であるため、老人、子供、身体障害者であっても出し入れしやすい位置であるとともに、救命補助装置収納庫４の落下事故も避けることができる。
【００４１】
なお、救命補助装置収納庫４は、昇降籠１の収容可能定員が多い場合には、図６に示す様にその奥行きを拡大してその容積を拡大しても良いし、昇降籠１内の他のコーナを利用して増設しても良い。
【００４２】
また、出入り口の昇降籠側戸１１、建物側の戸２１が両開きの大型のエレベータでは昇降籠側戸袋１２、建物側戸袋２２がそれぞれ左右にあり、図７に示すように、エレベータの籠内操作盤３も入り口の左右にあるものがある。このようなエレベータの場合、左右の籠内操作盤３下のスペースを活用して救命補助装置収納庫４を左右に設けてもよい。これにより、居住性、乗客収容スペースを損なうことなく、大人数の乗客に対応することができる。
【図面の簡単な説明】
【００４３】
【図１】は、本発明の実施形態の救命補助装置付エレベータの平面図である。
【図２】は、図１のＡ−Ａ矢視図である。
【図３】は、図１のＢ−Ｂ矢視図である。
【図４】は、本発明の実施形態の救命補助装置収納庫の詳細図である。
【図５】は、本発明の実施形態の救命補助装置の電気機器のブロック図である。
【図６】は、本発明の実施形態の救命補助装置収納庫の他の配置例である。
【図７】は、本発明の実施形態の救命補助装置収納庫の他の配置例である。
【符号の説明】
【００４４】
１：昇降籠、２：昇降路、３：昇降籠内操作盤、４：救命補助装置収納庫、５：救命補助装置収納庫の扉、６；扉開放釦、１１：出入り口の昇降籠側戸、１２：昇降籠側戸袋、２１：出入り口の建物側戸、２２：建物側戸袋、２３：建物側操作盤、４０：救命補助装置収納部、１００：コントローラ、１０１：非常状態検出センサ、１０２：電源、１０３：扉開放検出センサ、１０４：スピーカ、１０５：照明、１０６：携帯電話充電用プラグ、１０７：ロック、１０８：操作釦、１０９：アンテナ、１１０：充電器、１１１：外部電源入力用プラグ、１１２：ＡＣコンセント
【図１】
2009012954.tif 000003
【図２】
2009012954.tif 000004
【図３】
2009012954.tif 000005
【図４】
2009012954.tif 000006
【図５】
2009012954.tif 000007
【図６】
2009012954.tif 000008
【図７】
2009012954.tif 000009